(57)【要約】【課題】操作を行う操作指を介して検出部に付加される荷重を軽減すると共に、誤操作を抑制する操作検出装置を提供する。【解決手段】操作検出装置１は、なされた操作を検出する第１のタッチセンサ１２ａ〜第５のタッチセンサ１２ｅと、第１のタッチセンサ１２ａ〜第５のタッチセンサ１２ｅの操作を行う際に指が置かれ、指を介して付加された荷重を受けることで第１のタッチセンサ１２ａ〜第５のタッチセンサ１２ｅに対する操作指の操作を補助する操作補助部１４と、を備えて概略構成されている。【選択図】図１
2015041255.tif 000002
【特許請求の範囲】
【請求項１】
なされた操作を検出する検出部と、
前記検出部の操作を行う際に指が置かれ、前記指を介して付加された荷重を受けることで前記検出部に対する操作指の操作を補助する操作補助部と、
を備えた操作検出装置。
【請求項２】
前記操作補助部は、前記指が前記操作補助部に接触した状態で前記操作指によって前記検出部を操作することが可能な領域に設けられる、
請求項１に記載の操作検出装置。
【請求項３】
複数の前記検出部が一列に並べて配置され、
前記操作補助部が、一列に並べられた複数の前記検出部の長手方向に伸びて配置された、
請求項１又は２に記載の操作検出装置。
【請求項４】
さらになされた操作に基づいて、前記検出部の操作面に振動を付加する振動生成部を備えた、
請求項１乃至３のいずれか１項に記載の操作検出装置。
【請求項５】
前記操作補助部は、前記指が置かれる面に、前記指の形状に基づいた凹部が形成された、
請求項１乃至４のいずれか１項に記載の操作検出装置。
【発明の詳細な説明】
【技術分野】
【０００１】
本発明は、操作検出装置に関する。
【背景技術】
【０００２】
従来の技術として、複数の静電タッチスイッチを備えたタッチパネル装置が知られている（例えば、特許文献１参照。）。
【０００３】
このタッチパネル装置の複数の静電タッチスイッチは、運転席と助手席との間であって、運転席及び助手席から見て前方に位置するダッシュボードに配置されている。また複数の静電タッチスイッチは、ダッシュボードの表面と面一となるように配置されるので、車両との一体感が演出され意匠性が高い。
【先行技術文献】
【特許文献】
【０００４】
【特許文献１】特開２０１２−１２３４４８号公報
【発明の概要】
【発明が解決しようとする課題】
【０００５】
しかし、従来のタッチパネル装置は、例えば、操作者が運転席側から操作する場合、左手を伸ばした状態で、操作者の体を静電タッチスイッチの方に移動させて操作することが多く、指の曲げ伸ばしで操作する場合と比べて、大きい荷重が静電タッチスイッチに付加される問題があった。また従来のタッチパネル装置は、静電タッチスイッチとダッシュボードとに凹凸が少ないことから、操作する指と目的の静電スイッチとの位置合わせが困難であり、意図しない場所に操作する誤操作が発生する可能性があった。
【０００６】
従って、本発明の目的は、操作を行う操作指を介して検出部に付加される荷重を軽減すると共に、誤操作を抑制する操作検出装置を提供することにある。
【課題を解決するための手段】
【０００７】
本発明の一態様は、なされた操作を検出する検出部と、検出部の操作を行う際に指が置かれ、指を介して付加された荷重を受けることで検出部に対する操作指の操作を補助する操作補助部と、を備えた操作検出装置を提供する。
【発明の効果】
【０００８】
本発明によれば、操作を行う操作指を介して検出部に付加される荷重を軽減すると共に、誤操作を抑制することができる。
【図面の簡単な説明】
【０００９】
【図１】図１（ａ）は、第１の実施の形態に係る操作検出装置の概略図であり、（ｂ）は、操作検出装置が配置された車両内部の概略図である。
【図２】図２（ａ）は、第１の実施の形態に係る操作検出装置のブロック図であり、（ｂ）は、操作補助部を配置する領域を示す概略図であり、（ｃ）は、操作補助部に操作指とは異なる指が置かれた状態で行われた第１のタッチセンサに対する操作を説明するための概略図であり、（ｄ）は、操作補助部に操作指が置かれた状態で行われた第１のタッチセンサに対する操作を説明するための概略図である。
【図３】図３（ａ）は、第１の実施の形態に係る操作検出装置の操作補助部に付加される荷重について説明するための概略図であり、（ｂ）は、第２の実施の形態に係る操作検出装置のブロック図であり、（ｃ）は、振動生成部が操作面に付加する振動と操作指が操作面に付加する荷重との関係を示す模式図である。
【図４】図４（ａ）及び（ｂ）は、第３の実施の形態及び第４の実施の形態に係る操作検出装置の一部を示す斜視図である。
【図５】図５（ａ）及び（ｃ）は、第５の実施の形態及び第７の実施の形態に係る操作検出装置の一部を示す斜視図であり、（ｂ）は、第６の実施の形態に係る操作検出装置の一部を示す正面図である。
【図６】図６（ａ）は、第８の実施の形態に係る操作検出装置の一部を示す正面図であり、（ｂ）及び（ｃ）は、第９の実施の形態及び第１０の実施の形態に係る操作検出装置の一部を示す斜視図である。
【図７】図７（ａ）及び（ｂ）は、第１１の実施の形態及び第１２の実施の形態に係る操作検出装置の一部を示す斜視図である。
【発明を実施するための形態】
【００１０】
（実施の形態の要約）
実施の形態に係る操作検出装置は、なされた操作を検出する検出部と、検出部の操作を行う際に指が置かれ、指を介して付加された荷重を受けることで検出部に対する操作指の操作を補助する操作補助部と、を備えて概略構成されている。
【００１１】
この操作検出装置は、操作補助部に指が置かれ、この指を介して付加される荷重を操作補助部で受けるので、操作を行う操作指を介して検出部に付加される荷重を軽減すると共に、操作指を安定させて誤操作を抑制することができる。
【００１２】
なお、操作補助部に置かれる指は、操作指であっても、操作指と異なる指であっても、さらに、操作指及び異なる指であっても良い。
【００１３】
[第１の実施の形態]
（操作検出装置１の構成）
図１（ａ）は、第１の実施の形態に係る操作検出装置の概略図であり、（ｂ）は、操作検出装置が配置された車両内部の概略図である。図２（ａ）は、第１の実施の形態に係る操作検出装置のブロック図であり、（ｂ）は、操作補助部を配置する領域を示す概略図であり、（ｃ）は、操作補助部に操作指とは異なる指が置かれた状態で行われた第１のタッチセンサに対する操作を説明するための概略図であり、（ｄ）は、操作補助部に操作指が置かれた状態で行われた第１のタッチセンサに対する操作を説明するための概略図である。図３（ａ）は、第１の実施の形態に係る操作検出装置の操作補助部に付加される荷重について説明するための概略図である。なお、以下に記載する実施の形態に係る各図において、図形間の比率は、実際の比率とは異なる場合がある。
【００１４】
操作検出装置１は、一例として、図１（ａ）及び（ｂ）に示すように、車両３に搭載された電子機器を操作するものである。この操作検出装置１は、一例として、運転席と助手席との間に伸びるフロアコンソール３０から立ち上がるインストルメントパネル３１に配置されている。つまり操作検出装置１は、図１（ｂ）に示すように、運転席に着座する操作者の左斜め前方に配置されている。
【００１５】
操作検出装置１は、車両３に搭載された電子機器と電磁気的に接続されている。本実施の形態における電子機器は、一例として、空調装置であるものとする。なお電磁気的に接続とは、操作検出装置１と電子機器が、導電体を用いた有線通信、電磁波の一種である光を用いた光通信、及び電磁波の一種である電波を用いた無線通信の少なくとも１つを用いて接続されることを示している。また、電子機器は、空調装置に限定されず、音楽を再生するオーディオ装置、車両３の現在位置から目的地まで道順等を案内するナビゲーション装置、及びＤＶＤ（Digital Versatile Disc）等の記憶媒体に記憶された動画を再生する動画再生装置等であっても良い。
【００１６】
この操作検出装置１は、主に、なされた操作を検出する検出部と、検出部の操作を行う際に指が置かれ、指を介して付加された荷重を受けることで検出部に対する操作指の操作を補助する操作補助部１４と、を備えて概略構成されている。
【００１７】
本実施の形態における操作検出装置１は、検出部として複数のタッチセンサ（第１のタッチセンサ１２ａ〜第５のタッチセンサ１２ｅ）を備えている。なお、検出部の数は、上記に限定されず、例えば、接続される電子機器の仕様に応じて変更される。
【００１８】
また操作検出装置１は、図２（ａ）に示すように、さらに表示部１６と、通信部１８と、制御部２０と、を備えて概略構成されている。
【００１９】
操作検出装置１は、筐体１０を有している。操作検出装置１は、図１（ａ）の紙面における筐体１０の表面１００の上部に表示部１６が配置され、下部に操作補助部１４が配置され、表示部１６と操作補助部１４との間に第１のタッチセンサ１２ａ〜第５のタッチセンサ１２ｅが一列に並んで配置されている。
【００２０】
操作検出装置１は、図１（ｂ）に示すように、筐体１０の上部が車両３の天井３２側であり、下部が車両３の床３３側となるように配置されている。従って、以下では、特に断らない限り、上下左右は、図１（ａ）の紙面の上下左右を基準にするものとする。
【００２１】
（第１のタッチセンサ１２ａ〜第５のタッチセンサ１２ｅの構成）
第１のタッチセンサ１２ａ〜第５のタッチセンサ１２ｅは、一例として、検出対象である指と、操作面の下方である筐体１０の内側に設けられた後述する電極と、の間に形成される静電容量の変化に基づいて、操作の有無を判定する静電容量式のセンサである。なお検出部は、静電容量式のセンサに限定されず、指による操作を検出するもの、例えば、指の接触を検出する抵抗膜方式等のセンサ、指による押し込み操作を検出する押しボタンスイッチ等であっても良い。また第１のタッチセンサ１２ａ〜第５のタッチセンサ１２ｅは、例えば、スライド操作等を検出可能なタッチセンサの一部の領域を区切ることで形成されても良い。
【００２２】
第１のタッチセンサ１２ａは、筐体１０の表面１００に矩形状の操作面１２０ａが露出している。この操作面１２０ａの下方には、操作面１２０ａに基づいた矩形状を有し、銅等の導電性を有する金属材料を含んで形成された電極１２１ａが配置されている。この第１のタッチセンサ１２ａは、指が操作面１２０ａに接触することによって、指と電極１２１ａとの間に形成される静電容量に基づく検出信号Ｓ１を制御部２０に出力するように構成されている。なお第２のタッチセンサ１２ｂ〜第５のタッチセンサ１２ｅの電極１２１ｂ〜電極１２１ｅは、電極１２１ａと同じ材料を用いて、同じ形状に形成されている。図１（ａ）では、電極１２１ａ〜電極１２１ｅは、点線により図示されている。
【００２３】
第２のタッチセンサ１２ｂは、筐体１０の表面１００に矩形状の操作面１２０ｂが露出している。この操作面１２０ｂの下方には、電極１２１ｂが配置されている。第２のタッチセンサ１２ｂは、第１のタッチセンサ１２ａと同様に、指が操作面１２０ｂに接触することで検出信号Ｓ２を制御部２０に出力するように構成されている。
【００２４】
第３のタッチセンサ１２ｃは、筐体１０の表面１００に矩形状の操作面１２０ｃが露出している。この操作面１２０ｃの下方には、電極１２１ｃが配置されている。第３のタッチセンサ１２ｃは、指が操作面１２０ｃに接触することで検出信号Ｓ３を制御部２０に出力するように構成されている。
【００２５】
第４のタッチセンサ１２ｄは、筐体１０の表面１００に矩形状の操作面１２０ｄが露出している。この操作面１２０ｄの下方には、電極１２１ｄが配置されている。第４のタッチセンサ１２ｄは、指が操作面１２０ｄに接触することで検出信号Ｓ４を制御部２０に出力するように構成されている。
【００２６】
第５のタッチセンサ１２ｅは、筐体１０の表面１００に矩形状の操作面１２０ｅが露出している。この操作面１２０ｅの下方には、電極１２１ｅが配置されている。第５のタッチセンサ１２ｅは、指が操作面１２０ｅに接触することで検出信号Ｓ５を制御部２０に出力するように構成されている。
【００２７】
この第１のタッチセンサ１２ａ〜第５のタッチセンサ１２ｅは、例えば、接続された電子機器の異なる機能が割り付けられている。
【００２８】
上述のように、第１のタッチセンサ１２ａ〜第５のタッチセンサ１２ｅは、同じ構成を有しているので、以下では、主に第１のタッチセンサ１２ａを例に取って説明する。
【００２９】
（操作補助部１４の構成）
操作補助部１４は、図２（ｃ）に示すように、操作指９２とは異なる指である指９１が操作補助部１４に接触した状態で操作指９２によって第１のタッチセンサ１２ａ〜第５のタッチセンサ１２ｅを操作することが可能な領域、及び／又は、図２（ｄ）に示すように、操作指９２の腹９２０が操作補助部１４に接触した状態で操作指９２によって第１のタッチセンサ１２ａ〜第５のタッチセンサ１２ｅを操作することが可能な領域に設けられる。
【００３０】
また操作補助部１４は、一列に並べられた第１のタッチセンサ１２ａ〜第５のタッチセンサ１２ｅの長手方向に伸びて配置されている。
【００３１】
具体的には、操作補助部１４は、第１のタッチセンサ１２ａ〜第５のタッチセンサ１２ｅに亘って伸びた板形状を有し、筐体１０の表面１００から突出するように設けられている。この操作補助部１４は、左側面１４ｄが第１のタッチセンサ１２ａの左端部１２２ａの近傍まで、右側面１４ｅが第５のタッチセンサ１２ｅの右端部１２２ｂの近傍まで到達する長さを有している。
【００３２】
この操作補助部１４は、例えば、筐体１０と一体に形成されても良いし、ボルト等を用いて、筐体１０に取り付けられても良い。
【００３３】
この操作補助部１４は、例えば、ＡＢＳ（Acrylonitrile Butadiene Styrene copolymer）等の樹脂、アルミ等の金属、及びステンレス等の合金を含んで形成されている。
【００３４】
操作補助部１４が配置される領域は、検出部として第１のタッチセンサ１２ａを例にとると、図２（ｂ）に示すように、第１のタッチセンサ１２ａを中心として、その上部から時計回りに第１の領域１２３〜第８の領域１３０に分けられる。なお、この領域の分け方は、一例であり、タッチセンサが配置される場所や隣接するタッチセンサ等により変更されるものである。
【００３５】
本実施の形態においては、操作補助部１４は、操作面の下側に配置されている。具体的には、操作補助部１４は、左端に位置する第１のタッチセンサ１２ａが第４の領域１２６及び第５の領域１２７に、右端に位置する第５のタッチセンサ１２ｅが第５の領域１２７及び第６の領域１２８に、第２のタッチセンサ１２ｂ〜第４のタッチセンサ１２ｄが第４の領域１２６〜第６の領域１２８に、跨がるように配置されている。
【００３６】
第１のタッチセンサ１２ａ〜第５のタッチセンサ１２ｅ側に位置する操作補助部１４の表面１４ａは、図２（ｃ）及び（ｄ）に示すように、操作指９２及び／又は操作指９２とは異なる指９１が置かれる面である。なお、この表面１４ａには、複数の指が置かれても良い。
【００３７】
操作補助部１４は、例えば、筐体１０の表面１００から操作補助部１４の長手方向の側面である前面１４ｃまでの長さは、指が置ける程度の長さである。この長さは、一例として、１．５ｃｍ以上であり、以下に記載する各実施の形態においても同様の長さを有するものとする。
【００３８】
操作補助部１４に操作指９２とは異なる指９１が置かれる場合、図２（ｃ）に示すように、操作補助部１４の表面１４ａには、例えば、指９１により付加された荷重の成分、つまり、表面１４ａから表面１４ａの裏側である裏面１４ｂ方向の成分である荷重ｍ１が付加される。この荷重ｍ１は、例えば、図３（ａ）に示すように、運転席に着座する操作者９が、左手により操作を行う場合、指先だけで操作を行うのは困難であるため、左腕９ａを操作検出装置１の方向に伸ばして、さらに体を移動させて、操作を行う際に生じるものである。この際、操作者９の移動に伴って生じる、操作者９の肩９ｂ及び左腕９ａからの荷重Ｍに基づく荷重ｍ１が、操作補助部１４に付加される。操作者９は、操作補助部１４が荷重ｍ１を受けることで、荷重ｍ１よりも小さい荷重である、操作指９２が操作面１２０ａに付加する荷重ｍ２を、低減することから操作指９２が安定し、操作がし易くなっている。なお荷重ｍ２は、操作面１２０ａの法線方向とは逆向きの方向の成分の荷重である。
【００３９】
また操作補助部１４に操作指９２が置かれる場合、図２（ｄ）に示すように、操作補助部１４の表面１４ａには、例えば、操作指９２により付加された荷重ｇ１が付加される。上述のように、この荷重ｇ１は、操作者９の移動に伴って生じる、操作者９の肩９ｂ及び左腕９ａからの荷重Ｍに基づく荷重である。操作者９は、操作補助部１４が荷重ｇ１を受けることで、荷重ｇ１よりも小さい荷重である、操作指９２が操作面１２０ａに付加する荷重ｇ２を、低減することから操作指９２が安定し、操作がし易くなっている。なお荷重ｇ２は、操作面１２０ａの法線方向とは逆向きの方向の成分の荷重である。
【００４０】
（表示部１６の構成）
表示部１６は、操作検出装置１が電磁気的に接続された電子機器である空調装置の設定値等が表示されるように構成されている。この表示部１６は、例えば、制御部２０から取得した制御信号Ｓ６に基づいて表示を行うように構成されている。
【００４１】
この表示部１６には、例えば、図１（ａ）に示すように、設定温度、風量及び風の吹き出し口等が表示されている。この設定温度等は、第１のタッチセンサ１２ａ〜第５のタッチセンサ１２ｅを操作することにより、設定値等が変更される。
【００４２】
（通信部１８の構成）
通信部１８は、電子機器と通信を行うように構成されている。この通信部１８は、制御部２０から取得した操作情報Ｓ７を電子機器に出力するように構成されている。
【００４３】
（制御部２０の構成）
制御部２０は、例えば、記憶されたプログラムに従って、取得したデータに演算、加工等を行うＣＰＵ（Central Processing Unit）、半導体メモリであるＲＡＭ（Random Access Memory）及びＲＯＭ（Read Only Memory）等から構成されるマイクロコンピュータである。このＲＯＭには、例えば、制御部２０が動作するためのプログラムが格納されている。ＲＡＭは、例えば、一時的に演算結果等を格納する記憶領域として用いられる。
【００４４】
制御部２０は、例えば、第１のタッチセンサ１２ａ〜第５のタッチセンサ１２ｅから取得する検出信号Ｓ１〜検出信号Ｓ５に基づいて制御信号Ｓ６及び操作情報Ｓ７生成するように構成されている。
【００４５】
以下に、本実施の形態に係る操作検出装置１の動作について説明する。
【００４６】
（動作）
操作者が、車両３の電源を投入すると、操作検出装置１の制御部２０は、第１のタッチセンサ１２ａ〜第５のタッチセンサ１２ｅから検出信号Ｓ１〜検出信号Ｓ５を取得する。
【００４７】
制御部２０は、取得した検出信号Ｓ１〜検出信号Ｓ５に基づいて操作の有無を判定し、操作がなされた場合は、表示部１６を制御する制御信号Ｓ６、及び通信部１８を介して電子機器に出力する操作情報Ｓ７を生成し、出力する。操作検出装置１は、車両３の電源が遮断されるまで、上述の動作を行う。
【００４８】
（第１の実施の形態の効果）
本実施の形態に係る操作検出装置１は、操作を行う操作指を介して検出部に付加される荷重を軽減すると共に、誤操作を抑制することができる。具体的には、この操作検出装置１は、操作補助部１４に操作指９２と異なる指９１が置かれた場合、異なる指９１を介して付加される荷重ｍ１を操作補助部１４で受けるので、操作を行う操作指９２を介して操作対象のタッチセンサに付加される荷重ｍ２を軽減すると共に、操作指９２を安定させて誤操作を抑制することができる。
【００４９】
［第２の実施の形態］
第２の実施の形態は、操作面を振動させる振動生成部を有する点で第１の実施の形態と異なっている。以下では、操作補助部１４に置かれる指を操作指９２と異なる指９１であるものとして説明する。
【００５０】
図３（ｂ）は、第２の実施の形態に係る操作検出装置のブロック図であり、（ｃ）は、振動生成部が操作面に付加する振動と操作指が操作面に付加する荷重との関係を示す模式図である。なお、以下の各実施の形態において、第１の実施の形態と同じ機能及び構成を有する部分は、第１の実施の形態と同じ符号を付し、その説明は省略するものとする。
【００５１】
この操作検出装置１は、図３（ｂ）に示すように、さらに、なされた操作に基づいて、第１のタッチセンサ１２ａ〜第５のタッチセンサ１２ｅの操作面１２０ａ〜操作面１２０ｅに振動を付加する振動生成部２１を備えている。
【００５２】
この振動生成部２１は、例えば、圧電素子等を用いたアクチュエータが操作面１２０ａ〜操作面１２０ｅに振動を付加するように構成されている。この振動を付加する期間は、予め定められた期間であるが、これに限定されず、操作指９２による操作面の接触が検出されている期間であっても良い。またアクチュエータは、例えば、ボイスコイル等の振動を生成する手段であっても良い。
【００５３】
この圧電素子の材料としては、例えば、ニオブ酸リチウム、チタン酸バリウム、チタン酸鉛、チタン酸ジルコン酸鉛（ＰＺＴ）、メタニオブ酸鉛、ポリフッ化ビニリデン（ＰＶＤＦ）等が用いられる。
【００５４】
振動生成部２１は、例えば、金属板の両面に、上記の材料を用いて形成された圧電素子としての膜が形成される単層バイモルフ型、金属板の一方面に、上記の材料を用いて形成された膜を積層して形成された積層ユニモルフ型、金属板の両面に、上記の材料を用いて形成された膜を積層して形成された積層バイモルフ型のアクチュエータが用いられる。
【００５５】
振動生成部２１は、例えば、図３（ｃ）に示すように、操作面１２０ａの法線方向及びその逆方向に振動を付加するものである。従って操作面１２０ａは、実質的に操作面１２０ａの法線方向及びその逆方向を振動方向として振動する。
【００５６】
この振動は、操作されたことに基づいて、操作面１２０ａを介して操作者の操作指９２に伝達されるものである。従って操作者は、操作指９２に伝達する振動により、操作が受け付けられたことを認識することが可能となる。
【００５７】
ここで、操作補助部１４が設けられていない場合、図３（ａ）及び（ｃ）に示すように、操作者９の肩９ｂ及び左腕９ａからの荷重Ｍに基づく荷重の成分、つまり、操作面１２０ａの法線方向の逆向きの成分である荷重ｍ３が、操作指９２を介して操作面１２０ａに付加される。この荷重ｍ３は、操作補助部１４によって荷重ｍ１を受けた場合の荷重ｍ２よりも大きいので、荷重ｍ２の場合と比べて振動が打ち消され、振動生成部２１は、この荷重ｍ３に応じた大きな振動を生成する必要がある。
【００５８】
しかし、本実施の形態に係る操作検出装置１は、操作補助部１４を備えているので、操作者９の肩９ｂ及び左腕９ａからの荷重Ｍに基づく荷重ｍ１を、主に操作補助部１４により受けることで、操作指９２によって操作面１２０ａに付加される荷重ｍ２は、荷重ｍ３よりも小さくなる。従って振動生成部２１は、操作補助部１４が設けられない場合と比べて、小さな振動の生成で良い。
【００５９】
なお、操作補助部１４に操作指９２が置かれた場合は、上述のように、操作者９の肩９ｂ及び左腕９ａからの荷重Ｍに基づく荷重ｇ１を、主に操作補助部１４により受けることで、操作指９２によって操作面１２０ａに付加される荷重ｇ２を、上述の荷重ｍ３よりも小さくすることができる。
【００６０】
以下に、本実施の形態に係る操作検出装置１の動作について説明する。
【００６１】
（動作）
操作者が、車両３の電源を投入すると、操作検出装置１の制御部２０は、第１のタッチセンサ１２ａ〜第５のタッチセンサ１２ｅから検出信号Ｓ１〜検出信号Ｓ５を取得する。
【００６２】
制御部２０は、取得した検出信号Ｓ１〜検出信号Ｓ５に基づいて操作の有無を判定し、操作がなされた場合は、表示部１６を制御する制御信号Ｓ６、通信部１８を介して電子機器に出力する操作情報Ｓ７、及び振動を生成するための生成信号Ｓ８を生成し、出力する。
【００６３】
振動生成部２１は、取得した生成信号Ｓ８に基づいて、操作がなされたタッチセンサの操作面を予め定められた期間、振動させる。操作検出装置１は、車両３の電源が遮断されるまで、上述の動作を行う。
【００６４】
（第２の実施の形態の効果）
本実施の形態に係る操作検出装置１は、操作補助部１４が設けられない場合と比べて操作面に付加される荷重が小さいので、振動生成部２１が生成する振動が小さくて良く、さらに、必要な電子回路が小さくなって製造コストが低減される。
【００６５】
また操作検出装置１は、操作者の操作指９２に効率的に振動を付加して触感フィードバックを与え易いので、例えば、車両３の内部の音により操作音が聞こえないような状況であっても、操作者に操作を行ったことを認識させることができ、操作性が向上する。
【００６６】
［第３の実施の形態］
第３の実施の形態は、操作補助部１４の表面１４ａに、半球形状の凹部が形成されている点で上記の実施の形態と異なっている。
【００６７】
図４（ａ）は、第３の実施の形態に係る操作検出装置の一部を示す斜視図である。この操作検出装置１の操作補助部１４は、異なる指が置かれる面に、異なる指の形状に基づいた凹部が形成されている。つまり、操作補助部１４は、その表面１４ａに凹部が形成されている。この凹部は、指先の腹の形状を模したような半球形状を有している。
【００６８】
この操作検出装置１は、５つのタッチセンサ、つまり、第１のタッチセンサ１２ａ〜第５のタッチセンサ１２ｅを備えているので、凹部は、タッチセンサに応じて５つ形成されている。図４（ａ）では、第１のタッチセンサ１２ａ及び第２のタッチセンサ１２ｂに対応する凹部１４０ａ及び凹部１４０ｂを図示している。
【００６９】
この操作検出装置１は、操作補助部１４の表面１４ａに、指を置く位置が安定する凹部を有しているので、凹部がない場合と比べて、操作性が向上する。また操作検出装置１は、凹部により、指を置く位置が案内されるので、誤操作が抑制される。また操作検出装置１は、タッチセンサを視認する時間を短くすることができると共に、タッチセンサに対する視線移動を抑制することができる。
【００７０】
［第４の実施の形態］
第４の実施の形態は、円筒の側面のような形状の凹部が形成されている点で、上記の実施の形態と異なっている。
【００７１】
図４（ｂ）は、第４の実施の形態に係る操作検出装置の一部を示す斜視図である。この操作検出装置１の操作補助部１４は、操作指や操作指と異なる指が置かれる面に、これらの指の形状に基づいた凹部が形成されている。具体的には、操作検出装置１の操作補助部１４は、その表面１４ａに複数の円筒凹部が形成されている。この円筒凹部は、円筒の側面のような形状を有している。
【００７２】
この円筒凹部は、タッチセンサに応じて５つ形成されている。図４（ｂ）では、第１のタッチセンサ１２ａ及び第２のタッチセンサ１２ｂに対応する円筒凹部１４１ａ及び円筒凹部１４１ｂを図示している。
【００７３】
この円筒凹部は、筐体１０の表面１００から前面１４ｃに向かう方向を円筒の軸方向と一致するように形成されているが、これに限定されず、前面１４ｃまで到達しない形状であっても、前面１４ｃ側に傾斜する形状であっても良い。
【００７４】
また円筒凹部は、操作補助部１４の左側面１４ｄから右側面１４ｅの方向に円筒の軸方向が伸びるように、つまり、図４（ｂ）に示す円筒凹部に対して垂直となる方向に設けられても良い。
【００７５】
この操作検出装置１は、操作補助部１４の表面１４ａに、操作指や操作指と異なる指を置く位置が安定する円筒凹部を有しているので、円筒凹部がない場合と比べて、操作性が向上する。また操作検出装置１は、円筒凹部により、これらの指を置く位置が案内されるので、誤操作が抑制される。また操作検出装置１は、タッチセンサを視認する時間を短くすることができると共に、タッチセンサに対する視線移動を抑制することができる。
【００７６】
［第５の実施の形態］
第５の実施の形態は、ひとつのタッチセンサにひとつの操作補助部が配置されている点で上記の実施の形態と異なっている。
【００７７】
図５（ａ）は、第５の実施の形態に係る操作検出装置の一部を示す斜視図である。この操作検出装置１は、ひとつのタッチセンサにひとつの操作補助部が配置されている。
【００７８】
図５（ａ）では、第１のタッチセンサ１２ａ及び第２のタッチセンサ１２ｂに対応する操作補助部１４５ａ及び操作補助部１４５ｂが図示されている。図５（ａ）に示すように、操作補助部１４５ａは、第１のタッチセンサ１２ａの下方の領域である第５の領域１２７に配置されている。
【００７９】
また図５（ａ）に示すように、操作補助部１４５ｂは、第２のタッチセンサ１２ｂの下方の領域である第５の領域１２７に配置されている。他の操作補助部は、第１のタッチセンサ１２ａ及び第２のタッチセンサ１２ｂと同じ形状及び規則性を有して配置されている。
【００８０】
この操作検出装置１は、ひとつのタッチセンサにひとつの操作補助部が配置されているので、操作目的のタッチセンサに対応する操作補助部に指を置き易く、当該タッチセンサを操作する操作指の位置が安定し易い。
【００８１】
［第６の実施の形態］
第６の実施の形態は、操作補助部が、タッチセンサの下方から左右いずれかの方向にずれて配置される点で上記の実施の形態と異なっている。
【００８２】
図５（ｂ）は、第６の実施の形態に係る操作検出装置の一部を示す正面図である。この操作検出装置１の操作補助部は、タッチセンサに応じて配置されると共に、タッチセンサの下方から左にずれた領域に配置されている。
【００８３】
図５（ｂ）では、第１のタッチセンサ１２ａ及び第２のタッチセンサ１２ｂに対応する操作補助部１４５ａ及び操作補助部１４５ｂが図示されている。図５（ｂ）に示すように、操作補助部１４５ａは、第１のタッチセンサ１２ａの下方の領域から左にずれた領域である、第５の領域１２７及び第６の領域１２８に跨って配置されている。
【００８４】
また図５（ｂ）に示すように、操作補助部１４５ｂは、第２のタッチセンサ１２ｂの下方の領域から左にずれた領域である、第５の領域１２７及び第６の領域１２８に跨って配置されている。他の操作補助部の配置は、第１のタッチセンサ１２ａ及び第２のタッチセンサ１２ｂと同じ形状及び規則性を有して配置されている。
【００８５】
なお、操作補助部は、図５（ｂ）では図示されていない第５のタッチセンサ１２ｅの第４の領域１２６及び第５の領域１２７に跨るように設けられても良い。従ってこの場合、操作補助部は、タッチセンサの数よりもひとつ多くなる。
【００８６】
操作検出装置１は、操作補助部がタッチセンサに応じて配置され、さらにタッチセンサの下方からずれた領域に配置されているので、操作者が、例えば、親指を置いて操作指を人差し指にする際、親指は、タッチセンサの下方からずれた位置に置く方が操作がし易い。
【００８７】
従って操作検出装置１は、操作補助部がタッチセンサの下方から左にずれた領域に配置されるので、助手席側から自然な操作が可能となり、操作性が向上する。
【００８８】
なお変形例として、操作検出装置１は、操作補助部がタッチセンサの下方から右にずれた領域に配置されても良い。この場合、操作検出装置１は、運転席側から自然な操作が可能となる。
【００８９】
［第７の実施の形態］
第７の実施の形態は、並べられたタッチセンサの長手方向の長さよりも長い操作補助部１４が配置される点で上記の実施の形態と異なっている。
【００９０】
図５（ｃ）は、第７の実施の形態に係る操作検出装置の一部を示す斜視図である。この操作検出装置１の操作補助部１４は、図５（ｃ）に示すように、左側の端部である第１のタッチセンサ１２ａの左端部１２２ａよりも左側面１４ｄが外側に位置する。また操作補助部１４は、図５（ｃ）では図示されていないが、図１（ａ）を参照すると、右側の端部である第５のタッチセンサ１２ｅの右端部１２２ｂよりも右側面１４ｅが外側に位置するように長く形成されている。
【００９１】
本実施の形態に係る操作検出装置１は、運転席側からも助手席側からも自然な操作が可能となり、操作性が向上する。
【００９２】
［第８の実施の形態］
第８の実施の形態は一の操作面の下方中央付近から、隣り合う二の操作面の下方中央付近までの長さを有する操作補助部が配置されている点で上記の実施の形態と異なっている。
【００９３】
図６（ａ）は、第８の実施の形態に係る操作検出装置の一部を示す正面図である。この操作検出装置１は、一の操作面の下方中央付近から、隣り合う二の操作面の下方中央付近までの長さを有する操作補助部が配置されている。この二つの操作補助部の間には、例えば、隙間が形成されている。
【００９４】
図６（ａ）では、第１のタッチセンサ１２ａの操作面１２０ａの下方中央からずれた位置から、第２のタッチセンサ１２ｂの操作面１２０ｂの下方中央からずれた位置までの長さを有する操作補助部１４５ｂが図示されている。操作補助部１４５ａ及び操作補助部１４５ｃは、操作補助部１４５ｂと同じ形状を有している。また操作補助部１４５ａは、操作補助部１４５ｂの左側に配置され、操作補助部１４５ｃは、操作補助部１４５ｂの右側に配置されている。他の操作補助部は、操作補助部１４５ａ〜操作補助部１４５ｃと同じ形状及び規則性を有して配置されている。
【００９５】
具体的には、図２を参照すると、操作補助部１４５ｂは、第１のタッチセンサ１２ａの第５の領域１２７の中央から右にずれた位置から第２のタッチセンサ１２ｂの第５の領域１２７の中央から左にずれた位置までの長さを有する。
【００９６】
従って操作検出装置１は、操作補助部がタッチセンサの下方からずれた領域に配置されるので、運転席側からも助手席側からも自然な操作が可能となり、操作性が向上する。
【００９７】
［第９の実施の形態］
第９の実施の形態は、操作補助部の辺の長さが、この辺の長さに対応するタッチセンサの操作面の辺の長さよりも長い点で上記の実施の形態と異なっている。
【００９８】
図６（ｂ）は、第９の実施の形態に係る操作検出装置の一部を示す斜視図である。この操作検出装置１は、図６（ｂ）に示すように、タッチセンサの下側の辺に対応する操作補助部の辺の長さが、長くなるように形成されている。
【００９９】
図６（ｂ）では、第１のタッチセンサ１２ａの辺１２３ａよりも長い辺１４ｆを有する操作補助部１４５ａが図示されている。また図６（ｂ）では、第２のタッチセンサ１２ｂの辺１２３ｂよりも長い辺１４ｆを有する操作補助部１４５ｂが図示されている。他の操作補助部は、操作補助部１４５ａ及び操作補助部１４５ｂと同じ形状及び規則性を有して配置されている。
【０１００】
また操作補助部１４５ａは、図６（ｂ）の紙面において、操作面１２０ａの左端部１２２ａよりも操作補助部１４５ａの左側面１４ｄが外側に位置し、操作面１２０ａの右端部１２２ｂよりも操作補助部１４５ａの右側面１４ｅが外側に位置するので、操作者が、例えば、親指を置いて操作指を人差し指にする際、操作がし易い。
【０１０１】
従って操作検出装置１は、運転席側からも助手席側からも自然な操作が可能となり、操作性が向上する。
【０１０２】
［第１０の実施の形態］
第１０の実施の形態は、操作補助部が操作面の左端部側又は右端部側に縦長となるように配置される点で上記の実施の形態と異なっている。
【０１０３】
図６（ｃ）は、第１０の実施の形態に係る操作検出装置の一部を示す斜視図である。この操作検出装置１は、図６（ｃ）に示すように、第１のタッチセンサ１２ａの操作面１２０ａの左端部１２２ａ側又は右端部１２２ｂ側に縦長となるように配置された操作補助部１４６を備えて概略構成されている。
【０１０４】
この操作補助部１４６は、図６（ｃ）に示すように、第１のタッチセンサ１２ａの操作面１２０ａの左端部１２２ａ側に縦長になるように配置されている。
【０１０５】
この操作補助部１４６は、操作面１２０ａの左端部１２２ａ側の辺に沿うように配置されている。つまり、操作補助部１４６は、図２（ｂ）に示す第７の領域１２９に縦長になるように配置されている。なお、操作補助部１４６は、図２（ｂ）に示す第３の領域１２５に配置されても良いし、隣接するタッチセンサの境界、つまり、図２（ｂ）に示す第３の領域１２５と第７の領域１２７の境界に配置されても良い。この場合、操作補助部１４６は、例えば、タッチセンサの数よりもひとつ多く配置される。
【０１０６】
この操作補助部１４６は、一例として、第１のタッチセンサ１２ａ側である表面１４６ａに、操作指と異なる指が接触する。操作補助部１４６は、操作者の肩からの荷重に基づいて付加される、表面１４６ａから裏面１４６ｂの方向の成分の荷重を受けるように構成されている。
【０１０７】
操作補助部１４６の一方の側面である上面１４６ｄから他方の側面である下面１４６ｅまでの長さは、一例として、操作面１２０ａの左端部１２２ａの長さと同程度であるが、これに限定されない。
【０１０８】
この操作検出装置１は、操作を行う操作指を介してタッチセンサに付加される荷重を軽減すると共に、誤操作を抑制することができる。
【０１０９】
［第１１の実施の形態］
第１１の実施の形態は、操作補助部が操作面の上端部側に配置される点で上記の実施の形態と異なっている。
【０１１０】
図７（ａ）は、第１１の実施の形態に係る操作検出装置の一部を示す斜視図である。この操作検出装置１は、図７（ａ）に示すように、操作面１２０ａの上側の端部である上端部１２２ｃ側に配置された操作補助部１４７を備えて概略構成されている。
【０１１１】
この操作補助部１４７は、図７（ａ）に示すように、第１のタッチセンサ１２ａの操作面１２０ａの上端部１２２ｃ側の辺に沿うように配置されている。つまり、操作補助部１４７は、図２（ｂ）に示す第１の領域１２３に配置されている。
【０１１２】
この操作補助部１４７は、一例として、第１のタッチセンサ１２ａ側である表面１４７ａに、操作指と異なる指が接触する。操作補助部１４７は、操作者の肩からの荷重に基づいて付加される、表面１４７ａから裏面１４７ｂの方向の成分の荷重を受けるように構成されている。
【０１１３】
操作補助部１４７の一方の側面である左側面１４７ｄから他方の側面である右側面１４７ｅまでの長さは、一例として、操作面１２０ａの上端部１２２ｃの長さと同程度であるが、これに限定されない。
【０１１４】
この操作検出装置１は、操作を行う操作指を介してタッチセンサに付加される荷重を軽減すると共に、誤操作を抑制することができる。
【０１１５】
［第１２の実施の形態］
第１２の実施の形態は、操作補助部が略Ｌ字形状を有する点で上記の実施の形態と異なっている。
【０１１６】
図７（ｂ）は、第１２の実施の形態に係る操作検出装置の一部を示す斜視図である。この操作検出装置１の操作補助部１４８は、図７（ｂ）に示すように、前面１４８ｆ側から見て、略Ｌ字形状を有している。
【０１１７】
具体的には、操作補助部１４８は、板をＬ型に折り曲げたような形状を有し、板形状の第１の基部１４８ａ及び第２の基部１４８ｂと、第１の基部１４８ａと第２の基部１４８ｂとの間に形成された折曲部１４８ｃと、を備えている。
【０１１８】
この操作補助部１４８は、第１の基部１４８ａの表面１４８ｄが操作面１２０ａの左端部１２２ａ側に位置し、第２の基部１４８ｂの表面１４８ｅが操作面１２０ａの下端部１２２ｄ側に位置するように配置されている。つまり、操作補助部１４８は、図２（ｂ）に示すように、第１の基部１４８ａが第７の領域１２９に位置し、折曲部１４８ｃが第６の領域１２８に位置し、第２の基部１４８ｂが第５の領域１２７に位置するように配置されている。
【０１１９】
操作補助部１４８は、表面１４８ｄ及び表面１４８ｅの少なくとも一方の表面に操作者の操作指や操作指とは異なる指が置かれるので、操作者の肩からの荷重を受けることが可能となる。
【０１２０】
従って操作検出装置１は、操作補助部１４８がＬ字形状を有しているので、指を置き易くて安定して操作性が向上する。
【０１２１】
なお変形例として、上述の実施の形態における操作補助部は、前面に向かって、表面及び裏面が細る形状、右側面及び左側面が細る形状であっても良い。
【０１２２】
以上述べた少なくとも１つの実施の形態の操作検出装置１によれば、操作を行う操作指を介して検出部に付加される荷重を軽減すると共に、誤操作を抑制することが可能となる。
【０１２３】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更等を行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれるとともに、特許請求の範囲に記載された発明とその均等の範囲に含まれる。
【符号の説明】
【０１２４】
１…操作検出装置、３…車両、９…操作者、９ａ…左腕、９ｂ…肩、１０…筐体、１２ａ〜１２ｅ…第１のタッチセンサ〜第５のタッチセンサ、１４…操作補助部、１４ａ…表面、１４ｂ…裏面、１４ｃ…前面、１４ｄ…左側面、１４ｅ…右側面、１４ｆ…辺、１６…表示部、１８…通信部、２０…制御部、２１…振動生成部、３０…フロアコンソール、３１…インストルメントパネル、３２…天井、３３…床、９１…指、９２…操作指、１００…表面、１２０ａ〜１２０ｅ…操作面、１２１ａ〜１２１ｅ…電極、１２２ａ…左端部、１２２ｂ…右端部、１２２ｃ…上端部、１２２ｄ…下端部、１２３〜１３０…第１の領域〜第８の領域、１２３ａ，１２３ｂ…辺、１４０ａ，１４０ｂ…凹部、１４１ａ，１４１ｂ…円筒凹部、１４５ａ〜１４５ｃ，１４６…操作補助部、１４６ａ…表面、１４６ｂ…裏面、１４６ｄ…上面、１４６ｅ…下面、１４７…操作補助部、１４７ａ…表面、１４７ｂ…裏面、１４７ｄ…左側面、１４７ｅ…右側面、１４８…操作補助部、１４８ａ…第１の基部、１４８ｂ…第２の基部、１４８ｃ…折曲部、１４８ｄ…表面、１４８ｅ…表面、１４８ｆ…前面、９２０…腹
【図１】
2015041255.tif 000003
【図２】
2015041255.tif 000004
【図３】
2015041255.tif 000005
【図４】
2015041255.tif 000006
【図５】
2015041255.tif 000007
【図６】
2015041255.tif 000008
【図７】
2015041255.tif 000009